(57)【要約】【課題】  手荷物の持ち主が所定の場所を通過する際に、忘れ物があるか否かを判定して、忘れ物を持ち主に知らせることができるようにした忘れ物防止システムを提供する。【解決手段】  無線デバイスは、ＩＤ情報が記憶された記憶手段と、監視装置からの通信要求電波を受信し、応答電波でＩＤ情報を送信する無線応答手段とを有し、監視装置は、通信要求電波を送信し、応答電波を受信する送受信手段と、ＩＤ情報を登録する登録手段と、前記ＩＤ情報を受信した際に、該ＩＤ情報が登録情報となっている場合に無線デバイスとの通信が可能か判定する判定手段と、警告信号送信手段とを有し、情報記憶媒体は、ＩＤ情報が記憶されている記憶手段を有し、情報記憶媒体読取装置は、情報記憶媒体からＩＤ情報を読み取る読取手段と、ＩＤ情報を監視装置に送信する手段と、監視装置から警告信号を受信した場合に忘れ物があることを知らせる警告手段とを有する。【選択図】        図1
2008140196.tif 000002
【特許請求の範囲】
【請求項１】
手荷物に設けられた無線デバイスと、前記手荷物を一時的に保管する保管場所に備えられた監視装置と、手荷物の所有者が所持する情報記憶媒体と、前記監視装置と通信可能に接続された情報記憶媒体読取装置とからなる忘れ物防止システムであって、
前記無線デバイスは、ＩＤ情報が記憶された記憶手段と、前記監視装置から送信された通信要求電波を受信すると共に、前記監視装置に応答電波としてＩＤ情報を送信する無線応答手段とを有し、
前記監視装置は、前記保管場所内に通信要求電波を送信すると共に、前記無線デバイスから送信された応答電波を受信する送受信手段と、前記送受信手段が受信した応答電波に含まれているＩＤ情報を登録する登録手段と、前記情報記憶媒体読取装置から送信されたＩＤ情報を受信した際に、該ＩＤ情報が前記登録手段の登録情報となっている場合に、そのＩＤ情報が記憶されている無線デバイスとの通信が可能か判定する判定手段と、前記判定手段で無線デバイスとの通信が可能と判定された場合に、前記情報記憶媒体読取装置に対して、忘れ物であることを知らせるための警告信号を送信する警告信号送信手段とを有し、
前記情報記憶媒体は、前記ＩＤ情報が記憶されている記憶手段を有し、
前記情報記憶媒体読取装置は、前記情報記憶媒体から前記ＩＤ情報を読み取る手段と、前記読み取ったＩＤ情報を前記監視装置に送信する手段と、前記監視装置から前記警告信号を受信した場合に、忘れ物があることを知らせる警告手段とを有することを有することを特徴とする忘れ物防止システム。
【請求項２】
前記情報記憶媒体読取装置が、部屋の出入口付近に備えられていることを特徴とする請求項１記載の忘れ物防止システム。
【発明の詳細な説明】
【技術分野】
【０００１】
本発明は、物品に無線デバイスを添付するなどして設けることで、保管場所に一時的に預けた物品が忘れ物となることを防止した忘れ物防止システムに関する。
【背景技術】
【０００２】
従来、忘れ物を防止するシステムとして、送信機と受信機とを組み合わせることで、電波の受信状態から忘れ物があることを知らせる忘れ物防止システムなどが知られている。（例えば、特許文献１〜３、参照）
これら忘れ物防止システムでは、例えば、自分の持ち物であるカバンや傘などに送信機を設けておき、また、送信機から送信される電波を受信する受信機を自分が所持しておき、送信機と受信機との距離が、送信機の送信電波が受信機で受信できない距離となった場合に、受信機に設けられている警報手段から警報音などを発生させるなどして忘れ物があることを知らせるものである。
【０００３】
【特許文献１】特開昭６１−４０６９８号公報
【特許文献２】特開平５−６２０８４号公報
【特許文献３】特開２０００−１８７７８７号公報
【０００４】
つまり、従来の忘れ物防止システムでは、持ち主と持ち物との距離関係に応じて、忘れ物があるか否かを判定する仕組みとなっている。
しかしながら、忘れ物である状態を判定することを持ち主と持ち物との距離関係で定めた場合には、実態に合わない場合も生じてくる。
例えば、訪問先である会社の建物の出入口付近に設けられた傘置き場に傘を預け、その後に会議室などに行く場合には、会社の建物が大きな建物であるほど、その会議室と傘置き場との距離が離れていることも考えられ、忘れ物でないのに、傘との距離が離れたことで受信機に設けられている警報手段から警報音がなってしまうという問題がある。
上記の場合には、傘との距離が離れたことよりも、傘の持ち主が傘置き場から傘を持たないで、会社の建物の出入口から外に出た際に警報音を発生するなどして忘れ物があることを知らせる方が適切であり、従来の忘れ物防止システムでは、警報音を発生させるタイミングが実態に合わないという問題がある。
【発明の開示】
【発明が解決しようとする課題】
【０００５】
そこで、本発明は、送信機と受信機との距離関係に制約されることなく、手荷物の持ち主が所定の場所を通過する際に、忘れ物があるか否かを判定して、忘れ物がある場合には、持ち主に知らせることができるようにした忘れ物防止システムを提供する。
【課題を解決するための手段】
【０００６】
上記の課題を達成するために、本発明の忘れ物防止システムは、手荷物に設けられた無線デバイスと、前記手荷物を一時的に保管する保管場所に備えられた監視装置と、手荷物の所有者が所持する情報記憶媒体と、前記監視装置と通信可能に接続された情報記憶媒体読取装置とからなる忘れ物防止システムであって、前記無線デバイスは、ＩＤ情報が記憶された記憶手段と、前記監視装置から送信された通信要求電波を受信すると共に、前記監視装置に応答電波としてＩＤ情報を送信する無線応答手段とを有し、前記監視装置は、前記保管場所内に通信要求電波を送信すると共に、前記無線デバイスから送信された応答電波を受信する送受信手段と、前記送受信手段が受信した応答電波に含まれているＩＤ情報を登録する登録手段と、前記情報記憶媒体読取装置から送信されたＩＤ情報を受信した際に、該ＩＤ情報が前記登録手段の登録情報となっている場合に、そのＩＤ情報が記憶されている無線デバイスとの通信が可能か判定する判定手段と、前記判定手段で無線デバイスとの通信が可能と判定された場合に、前記情報記憶媒体読取装置に対して、忘れ物であることを知らせるための警告信号を送信する警告信号送信手段とを有し、前記情報記憶媒体は、前記ＩＤ情報が記憶されている記憶手段を有し、前記情報記憶媒体読取装置は、前記情報記憶媒体から前記ＩＤ情報を読み取る読取手段と、前記読取手段で読み取ったＩＤ情報を前記監視装置に送信する手段と、前記監視装置から前記警告信号を受信した場合に、忘れ物があることを知らせる警告手段とを有することを有することを特徴とする。
【０００７】
また、本発明の忘れ物防止システムは、前記情報記憶媒体読取装置が、部屋の出入口付近に備えられていることを特徴とする。
【発明の効果】
【０００８】
したがって、本発明の忘れ物防止システムは、所定の場所に設置された情報記憶媒体読取装置が、物品の所有者が所持する情報記憶媒体からＩＤ情報を読み取った場合に、監視装置に忘れ物があるか否かを確認させることができるので、送信機と受信機との距離関係に制約されることなく、物品の持ち主が所定の場所を通過する際に、忘れ物があるか否かを判定して、忘れ物がある場合には、持ち主に知らせることができるという効果がある。
【０００９】
また、本発明の忘れ物防止システムは、情報記憶媒体読取装置を部屋の出入口付近に備えることで、部屋から出る際に、忘れ物がある場合には、持ち主に知らせることができるという効果がある。
【発明を実施するための最良の形態】
【００１０】
以下、本発明の実施形態に係る忘れ物防止システムについて、図面に基づいて詳細に説明する。
図１は、本発明の実施形態に係る忘れ物防止システムの概要を説明するシステム構成図、図２は、本発明の実施形態に係る忘れ物防止システムのシステムブロック図、図３は、本発明の実施形態に係る忘れ物防止システムの監視装置の登録手段に登録される登録情報を示す図、図４は、本発明の実施形態に係る忘れ物防止システムの処理手順を示すフローチャート図である。
【００１１】
本発明の実施形態に係る忘れ物防止システムは、図１に示すように、訪問者５の持ち物である手荷物１に設けられた無線デバイスである非接触ＩＣタグ２と、その手荷物１を一時的に保管する保管場所である持ち物預かり所３に備えられた監視装置４と、手荷物１を所持する訪問者５が所持する情報記憶媒体である非接触ＩＣカード６と、その監視装置４と通信可能に接続された情報記憶媒体読取装置であるＩＣカードリーダ装置７とからなる。
手荷物１に設けられた非接触ＩＣタグ２は、予め手荷物１に備えられた構造として製造しておいてもよいし、また、手荷物１の所定位置に種々の方法により取り外し可能に添付させてもよいが、いずれにしても、外出時には、手荷物１と共に非接触ＩＣタグ２が移動可能な状態として設けられている。
【００１２】
図１には、一例として、ある建物１０内の見取り図が示されている。
その建物１０には、電子錠により施錠管理されたドア８が備えられ、そのドア８の施錠は、ＩＣカードリーダ装置７で非接触ＩＣカード６から読み取った認証用情報に基づいた認証処理での認証を受けることで、解錠されてドア８が開けられるにしてあり、入退出ができるように入退出管理されている。
また、建物１０内には、持ち物１を一時的に預かる持ち物預かり所３が設けられており、持ち物１を預かり受付３ａに持ち込み、係り員に手荷物１を渡すことで手荷物１が預けられるように設備されている。
そして、預かり受付３ａにおいて、手荷物１を訪問者５から預かった係り員は、手荷物１を持ち物預かり所３内の所定の場所に置いて一時的に保管する。
【００１３】
そして、持ち物預かり所３内に設置されている監視装置４は、持ち物預かり所３内に通信要求電波が届くように送信され、手荷物１に設けられた非接触ＩＣタグ２がこの通信要求電波を受信することで、非接触ＩＣタグ２が応答電波を送信し、監視装置４が応答電波を受信することで、持ち物預かり所３内にに手荷物１が保管されているか否かを調べることができるようにして管理されている。
つまり、非接触ＩＣタグ２が設けられた手荷物１は、持ち物預かり所３内においては、監視装置４が送信する通信要求電波に対して応答するか否かにより、手荷物１が持ち物預かり所３内に預けられているか否かが調べられるようになっており、持ち物預かり所３に多くの手荷物が預けられている場合であっても簡単に確認できるようになっている。
【００１４】
次に、本発明の実施形態に係る忘れ物防止システムのシステム構成を、図２に基づいて説明する。
まず、手荷物１に設けられた無線デバイスである非接触ＩＣタグ２には、記憶手段１０、制御手段１１、無線応答手段１２が備えられている。
記憶手段１０には、予め非接触ＩＣタグ２毎に固有のＩＤ情報が記憶されている。
無線応答手段１２は、監視装置４から送信された通信要求電波を受信した際に、記憶手段１０に記憶されているＩＤ情報を応答電波として送信する機能を有する。
これにより、監視装置４は、非接触ＩＣタグ２からＩＤ情報を含む応答電波受信することで、持ち物預かり所３内において、どのようなＩＤ情報が記憶された非接触ＩＣタグ２が現時点で保管されているのかを調べることができ、更に、監視装置４に登録されているＩＤ情報と手荷物の名称などからその手荷物がどのような物であるのかもわかるようになっている。
【００１５】
次に、持ち物預かり所３内に備えられている監視装置４には、通信手段１３、登録手段１４、判定手段１５、記憶手段１６、送受信手段１７、警告信号送信手段１８、制御手段１９などが備えられている。
通信手段１３は、出入口ドア付近に備えられているＩＣカードリーダ装置７と通信線２０を介して通信を行ない、登録手段１４は、通信線２０を介してＩＣカードリーダ装置７から送信されてきた手荷物情報であるＩＤ情報、手荷物の名称情報、連絡先情報などを関係付けて記憶手段１６に登録する機能を有する。
図３には、記憶手段１６に登録手段１４で登録された手荷物情報のリストが示されている。
ここで、連絡先情報としては、訪問者５毎の都合に応じて、電話番号、メールアドレスなどが自由に選択できる。
【００１６】
監視装置４の判定手段１５は、訪問者５がドアから退出する際に、訪問者５の所持する非接触ＩＣカード６から読み取ったＩＤ情報が、ＩＣカードリーダ装置７から監視装置４に対して送信されてきた際に、監視装置４が受信したＩＤ情報について、記憶手段１４の手荷物情報の中にそのＩＤ情報に該当するＩＤ情報が登録されているか否かを判定すると共に、監視装置４が、そのＩＤ情報が記憶されている非接触ＩＣタグ２との間で電波の送受信が可能な状態になっているかを判定する機能を有する。
ここで、監視装置４が、そのＩＤ情報が記憶されている非接触ＩＣタグ２との間で電波の送受信ができない状態である場合には、訪問者５が手荷物を忘れずに持ち帰ったことになり、また、非接触ＩＣタグ２との間で電波の送受信が可能な状態の場合には、訪問者５が持ち物預かり所３に手荷物を預けたまま、忘れて帰ろうとしたと予想できる。
【００１７】
そして、警告信号送信手段１８は、判定手段１５による判定で、監視装置４が、そのＩＤ情報が記憶されている非接触ＩＣタグ２との間で電波の送受信が可能な状態である場合、手荷物の忘れ物があると判定されて、監視装置４からＩＣカードリーダ装置７に対して、警告音を発生させるなどの警告処置を行わせるための警告信号を送信する機能を有する。
【００１８】
次に、非接触ＩＣカード６には、記憶手段２０、制御手段２１、送受信手段２２が備えられている。
記憶手段２０には、認証用情報、手荷物情報であるＩＤ情報、手荷物の名称情報、連絡先情報などが記憶されている。
これらの手荷物情報は、利用者である訪問者５が、事前に手荷物毎の非接触ＩＣカード６に対して、ＩＣカードリーダが備えられたパソコンなどで書き込んでおくことで、登録しておく。
例えば、手荷物が、カバン、傘、など複数ある場合には、それぞれの手荷物の非接触ＩＣタグ２毎に手荷物情報の登録を行う。
また、ＩＤ情報は、予め非接触ＩＣタグ２に登録されている固有情報を利用するようにしてもよい。
【００１９】
ＩＣカードリーダ装置７には、訪問者５がドア８から出る際に使用する出口側送受信手段２３、訪問者５がドア８から入る際に使用する入口側送受信手段２４、電子施錠制御手段２５、警告手段２６、記憶手段２７、通信手段２８、制御手段２９などが備えられている。
まず、出口側送受信手段２３は、訪問者５がドア８から出る際に非接触ＩＣカード６を近づけることで、非接触ＩＣカード６に記憶されている認証用情報、ＩＤ情報を読み取らせる。
また、入口側送受信手段２４は、訪問者５がドア８から入る際に非接触ＩＣカード６を近づけることで、非接触ＩＣカード６に記憶されている認証用情報、手荷物情報であるＩＤ情報、手荷物の名称情報、連絡先情報ＩＤ情報を読み取らせる。
【００２０】
出口側送受信手段２３または入口側送受信手段２４により、非接触ＩＣカード６から読み取られた情報は、監視装置４へと送信される。
また、電子施錠制御手段２５は、ドア８の施錠状態を管理し、このドア８の施錠状態は、非接触ＩＣカード６からＩＣカードリーダ装置７で読み取った認証用情報に基づく認証が受かられた際に、解錠処理が行なわれてドア８が開けられるようにしてある。
【００２１】
警告手段２６は、監視装置４からＩＣカードリーダ装置７に対して、警告音を発生させるなどの警告処理を行わせるための警告信号が送信され、ＩＣカードリーダ装置７が警告信号を受信した際に、警告音が発生して忘れ物があることを訪問者５に知らせることができるようにしてある。
警告手段２６による警告処理は、警告音に限定されるものではなく、表示ランプをつけたり、また、電子施錠制御手段２５のドア８の施錠状態管理と連動させて、ＩＣカードリーダ装置７が警告信号を受信した場合には、認証用情報による認証が受けられても、施錠が解錠しないように制御させるなど、種々の警告処理を行うようにしてもよい。
【００２２】
次に、本発明の実施形態に係る忘れ物防止システムの処理手順を、図４のフローチャート図に基づいて説明する。
まず、利用者である訪問者５は、事前準備として非接触ＩＣカード６の記憶手段２０に、手荷物情報であるＩＤ情報、手荷物の名称情報、連絡先情報などを書き込んで記憶させる。（ステップＳ１）
尚、認証用情報は、予め非接触ＩＣカード６の非接触ＩＣカード６に登録されている。
【００２３】
訪問者５は、訪問時にＩＣカードリーダ装置７の入口側送受信手段２４に非接触ＩＣカード６を近づけることで、非接触ＩＣカード６の記憶手段２０に記憶されている認証用情報と、手荷物情報であるＩＤ情報、手荷物の名称情報、連絡先情報を読み取らせる。（ステップＳ２）
ＩＣカードリーダ装置７で認証用情報に基づく認証処理が行われる。（ステップＳ３）
この認証処理において、認証が受けられた場合には、施錠が解錠状態となる。（ステップＳ４）
そして、ＩＣカードリーダ装置７から監視装置４に対して、手荷物情報であるＩＤ情報、手荷物の名称情報、連絡先情報が送信される。（ステップＳ５）
【００２４】
監視装置４は、ＩＣカードリーダ装置７から受信した手荷物情報であるＩＤ情報、手荷物の名称情報、連絡先情報を関係付けて、記憶手段１６に登録する。（ステップＳ６）
そして、訪問者５がドア８を開けて入った後に、持ち物預かり所３の預かり受付３ａに行き、手荷物１を預けられることで、監視装置４と、手荷物１に設けられた非接触ＩＣタグ２とが通信可能な状態に置かれる。（ステップＳ７）
【００２５】
その後、訪問者５は、訪問先で会議や打ち合わせなどの所用を済ませて帰る際に、ＩＣカードリーダ装置７の出口側送受信手段２３に非接触ＩＣカード６を近づけることで、非接触ＩＣカード６の記憶手段２０に記憶されている認証用情報と、手荷物情報であるＩＤ情報を読み取らせる。（ステップＳ８）
そして、ＩＣカードリーダ装置７から監視装置４に対して、手荷物情報であるＩＤ情報が送信される。（ステップＳ９）
監視装置４において、受信したＩＤ情報が、記憶手段１４に登録されている手荷物情報の中にその該当するＩＤ情報が登録されているか否かを判定すると共に、監視装置４が、そのＩＤ情報が記憶されている非接触ＩＣタグ２との間で電波の送受信が可能な状態になっているかを判定処理する。（ステップＳ１０）
【００２６】
この判定処理において、監視装置４が、そのＩＤ情報が記憶されている非接触ＩＣタグ２との間で電波の送受信ができる状態であると判定された場合には、ＩＣカードリーダ装置７に対して、警告処理を行わせるための警告信号が送信される。（ステップＳ１１）
そして、ＩＣカードリーダ装置７が警告信号を受信した際に、警告音が発生して忘れ物があることを訪問者５に知らせると共に、電子施錠を解錠しないように制御する。（ステップＳ１２）
【００２７】
また、この判定処理において、監視装置４が、そのＩＤ情報が記憶されている非接触ＩＣタグ２との間で電波の送受信ができない状態であると判定された場合には、ＩＣカードリーダ装置７に対して、正常を示す信号が送信される。（ステップＳ１３）
そして、ＩＣカードリーダ装置７が正常を示す信号を受信した際に、既に非接触ＩＣカード６から読み取られている認証用情報に基づく認証処理が行われる。（ステップＳ１４）
この認証処理で、認証が受けられた場合に、電子施錠が解錠状態となる。（ステップＳ１５）
これにより、訪問者５がドア８を開けて出られるようになる。
また、この認証処理で、認証が受けられない場合に、電子施錠が解錠状態とならないので出ることができない。
【００２８】
以上の処理により、持ち物預かり所３に手荷物１を預け、帰る際にこの手荷物１を受け取るのを忘れた場合でも、ドア８から出ようとした際に、知らせることができ、忘れ物を予防できる。
また、上記の実施形態においては、訪問者５の持ち物である手荷物１に設けられた無線デバイスとして非接触ＩＣタグ２を用いた場合について説明したが、無線デバイスは、必ずしも非接触ＩＣタグに限定されるものではなく、その他にも、Ｂｌｕｅｔｏｏｔｈ、ＺｉｇＢｅｅなどの無線デバイスを用いても良い。
【図面の簡単な説明】
【００２９】
【図１】本発明の実施形態に係る忘れ物防止システムの概要を説明するシステム構成図である。
【図２】本発明の実施形態に係る忘れ物防止システムのシステムブロック図である。
【図３】本発明の実施形態に係る忘れ物防止システムの監視装置の登録手段に登録される登録情報を示す図である。
【図４】本発明の実施形態に係る忘れ物防止システムの処理手順を示すフローチャート図である。
【符号の説明】
【００３０】
１  手荷物
２  非接触ＩＣタグ
３  持ち物預かり所
３ａ  預かり受付
４  監視装置
５  訪問者
６  非接触ＩＣカード
７  ＩＣカードリーダ装置
８  ドア
１０，１６，２０  記憶手段
１１，１９，２１，２９  制御手段
１２  無線応答手段
１３，２８  通信手段
１４  登録手段
１５  判定手段
１７，２２  送受信手段
１８  警告信号送信手段
２０  通信線
２３  出口側送受信手段
２４  入口側送受信手段
２５  電子施錠制御手段
２６  警告手段
【図１】
2008140196.tif 000003
【図２】
2008140196.tif 000004
【図３】
2008140196.tif 000005
【図４】
2008140196.tif 000006